(57)【特許請求の範囲】
【請求項１】
燃焼排気中の主として潜熱を回収する熱交換により、ドレンが発生する熱交換器を備えた熱源装置であって、
前記熱交換器で発生したドレンを取込んで中和する中和器と、
前記中和器で中和されたドレンが流入し、処理剤によって該ドレンから特定の物質を削減するドレン処理を行う処理手段と、
前記処理手段に対する、前記中和器で中和されたドレンの流入を制限する流入制御手段と、
前記流入制御手段を介して前記処理手段と接続され、前記流入制御手段によって前記処理手段へ前記中和器で中和されたドレンの流入が制限された時に、前記熱交換器で発生して前記中和器で中和されたドレンを貯める貯留手段と、
前記処理手段で処理されたドレンを熱源装置の外部に流す排出手段と、
前記流入制御手段を閉止してドレン処理を開始させ、設定時間経過を契機に前記排出手段を通じて前記処理手段からドレンを排出させた後に、前記流入制御手段を開状態にさせて、前記貯留手段に溜められたドレン、または前記貯留手段と前記中和器とに貯められたドレンを前記処理手段に流入させる制御部と、
を備えることを特徴とする熱源装置。
【請求項２】
前記処理手段は、内部に貯留したドレンの水位を検出する水位検出手段を備え、
前記制御部は、前記水位検出手段の検出結果から前記処理手段内部の水位が閾値以上になった場合、ドレン処理を実行させることを特徴とする、請求項１に記載の熱源装置。
【請求項３】
前記制御部は、設定された処理開始時刻に基づいて、前記流入制御手段を閉止させて、ドレン処理を開始させることを特徴とする、請求項１または２に記載の熱源装置。
【請求項４】
前記処理手段は、内部でドレンを流動させる流動手段を設け、
前記制御部は、ドレン処理の実行タイミングで、前記流動手段を動作させることを特徴とする、請求項１ないし請求項３のいずれかに記載の熱源装置。
【請求項５】
前記処理手段は、ドレンに含まれる特定の物質を変化させる触媒物質、またはドレンに含まれる特定の物質を吸着させる吸着剤を備えることを特徴とする、請求項１ないし請求項４のいずれかに記載の熱源装置。
【請求項６】
前記排出手段は、
浴槽内の浴槽水を流して追焚させる追焚管路と、
該追焚管路の一部に設置され、ドレン排出時に前記追焚管路を通じて流されたドレンを排出側に導く切換弁と、
を備えることを特徴とする、請求項１ないし請求項５のいずれかに記載の熱源装置。
【請求項７】
さらに、熱源装置の燃焼手段の燃焼状態を監視する燃焼監視手段を備え、
前記制御部は、所定時間以上、前記燃焼手段の燃焼処理が実行されない場合、前記流入制御手段を開状態に維持させて、ドレン処理を開始させることを特徴とする、請求項１に記載の熱源装置。
【請求項８】
前記制御部は、ドレン処理を完了する前に前記燃焼手段への動作要求があった場合、ドレン処理を停止させることを特徴とする請求項７に記載の熱源装置。
【請求項９】
前記貯留手段は、前記中和器の一部に形成されることを特徴とする、請求項１ないし請求項８のいずれかに記載の熱源装置。
【請求項１０】
燃焼排気中の主として潜熱を回収する熱交換により、ドレンが発生する熱交換器を備えた熱源装置のドレン排出処理方法であって、
前記熱交換器で発生したドレンを取込んで中和器で中和し、
前記中和器で中和されたドレンが流入した処理手段にて、処理剤によってドレンに含まれる特定の物質を削減するドレン処理を行い、
流入制御手段により、前記処理手段に対する前記中和器で中和されたドレンの流入を制限し、
前記流入制御手段へ前記中和器で中和されたドレンの流入が制限された時に、前記熱交換器で発生して前記中和器で中和されたドレンを、前記流入制御手段を介して前記処理手段と接続された貯留手段に貯め、
前記処理手段で処理されたドレンを熱源装置の外部に流し、
前記流入制御手段を閉止してドレン処理を開始させ、
設定時間経過を契機に排出手段を通じて前記処理手段からドレンを排出させた後に、前記流入制御手段を開状態にさせて、前記貯留手段に溜められたドレン、または前記貯留手段と前記中和器とに貯められたドレンを前記処理手段に流入させる、
処理を含むことを特徴とするドレン排出処理方法。
【請求項１１】
前記処理手段の内部に貯留したドレンの水位を水位検出手段で検出し、
前記水位検出手段の検出結果から前記処理手段内部の水位が閾値以上になった場合、ドレン処理を実行させる処理を含むことを特徴とする、請求項１０に記載のドレン排出処理方法。
【請求項１２】
設定された処理開始時刻に基づいて、前記流入制御手段を閉止させて、ドレン処理を開始させる処理を含むことを特徴とする請求項１０または請求項１１に記載のドレン排出処理方法。
【請求項１３】
熱交換によりドレンが発生する熱源装置を制御するコンピュータに実行させるためのドレン排出処理プログラムであって、
熱交換により発生したドレンを中和器に取込む機能と、
流入制御手段を閉止して、処理剤によってドレンに含まれる特定の物質を削減するドレン処理を実行する処理手段に対して、前記中和器で中和されたドレンの流入を制限する機能と、
前記流入制御手段によって前記処理手段へ前記中和器で中和されたドレンの流入が制限された時に、熱交換で発生し前記中和器で中和されたドレンを、前記流入制御手段を介して前記処理手段と接続された貯留手段に溜める機能と、
前記流入制御手段の閉止に応じてドレン処理を開始させ、設定時間経過を契機に排出手段を通じて前記処理手段からドレンを排出させた後に、前記流入制御手段を開状態にさせて、前記貯留手段に溜められたドレン、または前記貯留手段と前記中和器とに貯められたドレンを前記処理手段に流入させる機能と、
をコンピュータに実行させるドレン排出処理プログラム。
【発明の詳細な説明】
【技術分野】
【０００１】
本発明は、熱源装置の潜熱回収によって生じるドレンの排出処理技術に関する。
【背景技術】
【０００２】
たとえば給湯器などの熱源装置では、燃焼排気に対して潜熱を回収する熱交換を行う場合、熱交換器の周面に結露などのドレンが発生するため、ドレンを回収し、装置外に排出することが必要となる。このドレンの排出には、たとえば熱源装置に設置された管路の一部を通し、直接または浴槽や排水パンなどを介して、一般の下水配管に排出されている。
【０００３】
熱交換により発生するドレンは、たとえば強酸性であるため、排出による環境等への影響を考慮して排出時に中和処理が施されている。また、ドレンには、たとえばバーナを燃焼させる燃料ガスに含まれている成分により、メタン系の燃焼生成物として、ホルムアルデヒドなどが含まれる場合がある。浴槽内や管路の一部、また下水配管側に流すドレンにこのような物質をそのまま流すのは好ましくない。そこで、このようなドレンに含まれる物質を改質や分解させる処理を施すものが知られている。
【０００４】
このようなドレン処理に関し、二次熱交換器から回収されたドレン水を改質槽内の触媒によって分解してホルムアルデヒドを除去した後、中和槽を経てバッファタンクに一時貯留させ、浴槽が不使用のタイミングでドレンを浴槽側に排出するものがある（例えば、特許文献１）。また、開閉体を設けた管路を通じて被処理水を処理槽内に導入し、処理槽内の触媒微粒子と被処理水とを循環させて、ホルムアルデヒドの酸化分解反応を進行させる処理を行うものがある（例えば、特許文献２）。
【先行技術文献】
【特許文献】
【０００５】
【特許文献１】特開２００９−２２２３６７号公報
【特許文献２】特開２０１０−０２９８１２号公報
【発明の概要】
【発明が解決しようとする課題】
【０００６】
ところで、吸着剤や触媒を利用したドレン処理は、特定物質の吸着や分解反応が十分に行われ、環境への影響が少ない状態になるまでに一定の時間を要する。十分な処理が行われないまま浴槽や排出管路、または追焚管路などを通じて排出させたのでは、特定物質が浴槽などに混入するというおそれがある。そのためドレンの処理では、吸着または分解に必要な時間を十分にとるほか、処理中にドレンが混入するのを避けなければならないという課題がある。
【０００７】
ドレン処理を完了させるために、ドレン処理を行う処理槽を閉鎖し、処理中に未処理のドレンを混入させないようにした場合、ドレン管路内にドレンが溢れるおそれがある。ドレンの発生を抑制するため、二次熱交換器での潜熱回収を禁止させるなどの処理が必要となる。また、給湯や追焚機能を利用中にドレンの排出を禁止している場合は、吸着や分解処理を終えたドレンが排出されなければ、処理槽内に新たなドレンが入れられないため、ドレンの溢れ防止によるドレン発生を抑制することになる。このようなドレン発生抑制を行った場合、熱源装置での排熱回収の効率が低下してしまうという課題がある。
【０００８】
特許文献１および特許文献２には、斯かる課題やそれを解決する手段の開示や示唆はない。
【０００９】
そこで、本発明の目的は、上記課題に鑑み、ドレンに含まれる物質の吸着や分解などの処理を十分に行え、さらに、燃焼効率を維持した熱源装置を提供することにある。
【課題を解決するための手段】
【００１０】
上記目的を達成するため、本発明の熱源装置の一側面によれば、燃焼排気中の主として潜熱を回収する熱交換により、ドレンが発生する熱交換器を備えた熱源装置であって、前記熱交換器で発生したドレンを取込んで中和する中和器と、前記中和器で中和されたドレンが流入し、処理剤によって該ドレンから特定の物質を削減するドレン処理を行う処理手段と、前記処理手段に対する、前記中和器で中和されたドレンの流入を制限する流入制御手段と、前記流入制御手段を介して前記処理手段と接続され、前記流入制御手段によって前記処理手段へ前記中和器で中和されたドレンの流入が制限された時に、前記熱交換器で発生して前記中和器で中和されたドレンを貯める貯留手段と、前記処理手段で処理されたドレンを熱源装置の外部に流す排出手段と、前記流入制御手段を閉止してドレン処理を開始させ、設定時間経過を契機に前記排出手段を通じて前記処理手段からドレンを排出させた後に、前記流入制御手段を開状態にさせて、前記貯留手段に溜められたドレン、または前記貯留手段と前記中和器とに貯められたドレンを前記処理手段に流入させる制御部とを備えればよい。
【００１１】
上記熱源装置において、好ましくは、前記処理手段は、内部に貯留したドレンの水位を検出する水位検出手段を備え、前記制御部は、前記水位検出手段の検出結果から前記処理手段内部の水位が閾値以上になった場合、ドレン処理を実行させてもよい。
【００１２】
上記熱源装置において、好ましくは、前記制御部は、設定された処理開始時刻に基づいて、前記流入制御手段を閉止させて、ドレン処理を開始させてもよい。
【００１３】
上記熱源装置において、好ましくは、前記処理手段は、内部でドレンを流動させる流動手段を設け、前記制御部は、ドレン処理の実行タイミングで、前記流動手段を動作させてもよい。
【００１４】
上記熱源装置において、好ましくは、前記処理手段は、ドレンに含まれる特定の物質を変化させる触媒物質、またはドレンに含まれる特定の物質を吸着させる吸着剤を備えてもよい。
【００１５】
上記熱源装置において、好ましくは、前記排出手段は、浴槽内の浴槽水を流して追焚させる追焚管路と、該追焚管路の一部に設置され、ドレン排出時に前記追焚管路を通じて流されたドレンを排出側に導く切換弁とを備えてもよい。
【００１６】
上記熱源装置において、好ましくは、さらに、熱源装置の燃焼手段の燃焼状態を監視する燃焼監視手段を備え、前記制御部は、所定時間以上、前記燃焼手段の燃焼処理が実行されない場合、前記流入制御手段を開状態に維持させて、ドレン処理を開始させてもよい。
【００１７】
上記熱源装置において、好ましくは、前記制御部は、ドレン処理を完了する前に前記燃焼手段への動作要求があった場合、ドレン処理を停止させてもよい。
【００１８】
上記熱源装置において、好ましくは、前記貯留手段は、前記中和器の一部に形成されてもよい。
【００１９】
上記目的を達成するため、本発明のドレン排出処理方法の一側面によれば、燃焼排気中の主として潜熱を回収する熱交換により、ドレンが発生する熱交換器を備えた熱源装置のドレン排出処理方法であって、前記熱交換器で発生したドレンを取込んで中和器で中和し、前記中和器で中和されたドレンが流入した処理手段にて、処理剤によってドレンに含まれる特定の物質を削減するドレン処理を行い、流入制御手段により、前記処理手段に対する前記中和器で中和されたドレンの流入を制限し、前記流入制御手段へ前記中和器で中和されたドレンの流入が制限された時に、前記熱交換器で発生して前記中和器で中和されたドレンを、前記流入制御手段を介して前記処理手段と接続された貯留手段に貯め、前記処理手段で処理されたドレンを熱源装置の外部に流し、前記流入制御手段を閉止してドレン処理を開始させ、設定時間経過を契機に排出手段を通じて前記処理手段からドレンを排出させた後に、前記流入制御手段を開状態にさせて、前記貯留手段に溜められたドレン、または前記貯留手段と前記中和器とに貯められたドレンを前記処理手段に流入させる処理を含めばよい。
【００２０】
上記ドレン排出処理方法において、好ましくは、前記処理手段の内部に貯留したドレンの水位を水位検出手段で検出し、前記水位検出手段の検出結果から前記処理手段内部の水位が閾値以上になった場合、ドレン処理を実行させる処理を含んでもよい。
【００２１】
上記ドレン排出処理方法において、好ましくは、設定された処理開始時刻に基づいて、前記流入制御手段を閉止させて、ドレン処理を開始させる処理を含んでもよい。
【００２２】
上記目的を達成するため、本発明のドレン排出処理プログラムの一側面によれば、熱交換によりドレンが発生する熱源装置を制御するコンピュータに実行させるためのドレン排出処理プログラムであって、熱交換により発生したドレンを中和器に取込む機能と、流入制御手段を閉止して、処理剤によってドレンに含まれる特定の物質を削減するドレン処理を実行する処理手段に対して、前記中和器で中和されたドレンの流入を制限する機能と、前記流入制御手段によって前記処理手段へ前記中和器で中和されたドレンの流入が制限された時に、熱交換で発生し前記中和器で中和されたドレンを、前記流入制御手段を介して前記処理手段と接続された貯留手段に溜める機能と、前記流入制御手段の閉止に応じてドレン処理を開始させ、設定時間経過を契機に排出手段を通じて前記処理手段からドレンを排出させた後に、前記流入制御手段を開状態にさせて、前記貯留手段に溜められたドレン、または前記貯留手段と前記中和器とに貯められたドレンを前記処理手段に流入させる機能とをコンピュータに実行させればよい。
【発明の効果】
【００２３】
本発明によれば、次のいずれかの効果が得られる。
【００２４】
(1) ドレンに対する処理時間を確保でき、特定物質を残留させずにドレンを排出できる。
【００２５】
(2) 新たに発生したドレンが処理中のドレンに混入するのを防止でき、未処理又は不十分な処理のドレンを排出させないので、熱源装置の信頼性を向上させることができる。
【００２６】
(3) ドレン処理を実行する場合でも、熱源装置の熱回収効率が低下するのを防止できる。
【図面の簡単な説明】
【００２７】
【図１】一実施の形態に係るドレン排出システムの構成例を示す図である。
【図２】熱源装置の動作制御の一例を示すフローチャートである。
【図３】給湯・追焚装置の構成例を示す図である。
【図４】ドレンタンクの一例を示す図である。
【図５】中和器の構成例およびドレン処理機能部の構成例を示す図である。
【図６】熱源装置の制御部の一例を示す図である。
【図７】ドレン排出管理の一例を示すフローチャートである。
【図８】ドレン処理部の他の一例を示す図である。
【発明を実施するための形態】
【００２８】
＜ドレン排出システム＞
【００２９】
図１は、ドレン排出システムの一例を示している。図１に示す構成は一例であり、本発明が斯かる構成に限定されるものではない。
【００３０】
ドレン排出システム２は、たとえば図１に示すように、給湯機能や浴槽６内の浴槽水ＢＷの追焚機能などを備えた熱源装置４を含んでおり、本開示の熱源装置の一例である。ドレン排出システム２は、燃焼排気と浄水との熱交換によって発生するドレンに対し、中和処理、特定物質の除去または分解などによるドレン処理を行って、所定の排水側への排出処理を行う。このドレン排出システム２では、ドレン処理が完了したドレンを浴槽６以外の排水口に排出する。
【００３１】
熱源装置４は、本開示の熱源装置の一例であり、その内部に給湯用の熱交換を行う熱交換器８を備えるとともに、浴槽水ＢＷを取り込んで追焚する追焚用の熱交換器４８（図３）を備える。熱交換器８は、燃焼排気ガス中から主として顕熱を回収する一次熱交換器と、主として潜熱を回収する二次熱交換器とを備えている。熱源装置４では、これらの熱交換器８のうち特に、二次熱交換器での潜熱回収において、燃焼排気ガスや周囲の空気に含まれる水蒸気が凝縮して、不用水であるドレンが発生する。発生したドレンは、たとえば強酸性であるとともに、燃料ガスに含まれるメタン成分として、ホルムアルデヒド等の物質が含まれている。ホルムアルデヒドは、厚生労働省が規定する上水側の水道水質基準項目の対象となっている。このドレン排出システム２では、熱源装置内の管路の一部をドレンの排出経路に利用することや、環境負荷への影響を抑えるためにドレンに含まれるホルムアルデヒドなどの特定物質を削減することで、装置の清浄化を図る。
【００３２】
熱源装置４には、たとえば熱交換器８の底部側に沿ってドレンＤを回収するドレン受け１０を備え、回収されたドレンＤはドレン排出手段の一部であるドレン管路１２を通じて排出側に導かれる。ドレン管路１２には、熱源装置４の内部に配置された中和器１４、貯留タンク１６、ドレン流入弁１８、ドレンタンク２０を備える。またドレンタンク２０には、処理済みのドレンを熱源装置４の外部に排出するための排出管路２２を備える。斯かる排出管路２２は、本開示の排出手段の一例であり、浴槽６内の浴槽水ＢＷを追焚加熱するための追焚管路２４の一部を利用する。排出管路２２には、たとえばドレンタンク２０から追焚管路２４側に流すタンク側流路２２−１や追焚戻り管路２４−１や追焚往き管路２４−２の一部を含む排出側流路２２−２を含む。タンク側流路２２−１と追焚管路２４との連結部分には、浴槽水ＢＷの流れと処理済のドレンＤの流れを切り換える三方弁２６や追焚往き管路２４−２の浴槽６に設置される循環アダプタの手前を分岐して、排水部３０側にドレンＤを流す三方弁ユニット２８を備える。
【００３３】
中和器１４は、回収したドレンＤを中和する手段の一例であり、たとえば内部に中和剤として炭酸カルシウムなどが充填されており、流入したドレンＤに中和剤を浸漬させることで、ドレンＤのｐＨを中性またはそれに近い状態に中和させる。なお中和器１４は、充填された中和剤を利用する場合に限られない。ドレンＤを中和する手段であれば、どのようなものであってもよく、たとえば強アルカリ性の薬剤を添加するなどの手法をとってもよい。
【００３４】
貯留タンク１６は、ドレンタンク２０への流入が制限されたドレンを貯める貯留手段の一例である。この貯留タンク１６は、たとえばドレン処理が開始されたドレンタンク２０に対し、新たに発生した未処理のドレンＤを流入させないために貯める、所謂バッファタンクとして機能する。貯留タンク１６は、たとえば熱源装置４の給湯能力や、熱交換器８の熱交換によるドレン発生量を実験などで測定した値などのほか、ドレンタンク２０におけるドレン処理時間に基づいて容量を設定すればよい。
【００３５】
ドレン流入弁１８は、本開示の流入制御手段の一例であり、ドレン管路１２を開閉することでドレンタンク２０に対する未処理のドレンＤの流入を制御する。ドレン流入弁１８は、ドレン管路１２の流路を遮断可能な開閉弁を利用すればよい。ドレン流入弁１８は、熱源装置４の制御部３２によって開閉制御されており、ドレンタンク２０のドレン処理の実行に連動して開閉制御が行われる。
【００３６】
ドレンタンク２０は、本開示の処理手段の一例であり、たとえば処理剤が充填されたタンク内部にドレンＤを流入させ、所定時間浸漬させておくことでドレンＤに含まれるホルムアルデヒドなどの特定の物質を分解または処理剤に吸着させる。これにより、装置外に排出するドレンＤから斯かる物質を削減させる。ドレンタンク２０には、たとえば分解や吸着など、処理したい特定物質に応じて充填させる処理剤の種類や処理手法を用いればよい。
【００３７】
ドレンＤからホルムアルデヒドを削減するドレン処理では、処理剤としてたとえば麦飯石１１８（図４）を用いればよい。この麦飯石１１８は、ホルムアルデヒドを多糖物質に変化させる触媒の一例である。ドレンタンク２０に流入したドレンＤは、麦飯石１１８との接触により三炭糖に変化した後、四炭糖、五炭槽と物質変化する。
【００３８】
なお、ドレンＤに対する処理手段、処理剤はこれに限らない。ドレンＤを物質変化させるために、ホルムアルデヒドなどの特定物質をドレンから吸着する吸着剤を利用してもよい。
【００３９】
制御部３２は、熱源装置４の機能制御手段の一例であり、図示しないバーナの燃焼制御や給湯、浴槽水ＢＷの追焚制御のほか、ドレン流入弁１８やドレンタンク２０に対するドレン処理の実行制御、処理後のドレンＤの排出処理としてドレン流入弁１８や三方弁２６、三方弁ユニット２８の切換え制御などを行う。
【００４０】
＜熱源装置の動作制御＞
【００４１】
図２は、熱源装置の動作制御の一例を示すフローチャートある。このフローチャートに示す処理内容、処理手順は一例であり、本発明が斯かる内容に限定されるものではない。この熱源装置の動作制御は、本開示のドレン排出処理方法およびドレン排出処理プログラムの一例であり、ドレン排出管理のほか、給湯動作制御、浴槽管理動作制御が含まれる。
【００４２】
熱源装置４の電源を投入すると、制御部３２は、たとえば機種設定情報の読込み、各機能部に対する出力値の初期化などを含むイニシャライズ処理を実行する（Ｓ１）。イニシャライズ処理が完了すると、熱源装置４は、ユーザの操作指示による給湯要求や追焚要求の待機状態に移行する。また、熱源装置４は、これらの動作要求とは別に、熱交換によって生じるドレンＤの発生や、ドレンタンク２０に溜まったドレンＤの水位監視を行うほか、ドレン処理としてホルムアルデヒドの削減処理やドレン排水等のドレン排出管理を行う（Ｓ２）。
【００４３】
また、制御部３２は、熱源装置４の給湯動作の実行か否かを判断する（Ｓ３）。この給湯動作の実行判断では、たとえば給湯要求として、給湯栓などが開栓されたか否かに基づいて判断すればよい。制御部３２は、給湯動作の実行が要求されている場合（Ｓ３のＹＥＳ）には、給湯動作制御に移行する（Ｓ４）。給湯動作制御では、たとえば設定温度や開栓度合いなどに基づき、バーナの燃焼制御や出湯温度の調整制御などが含まれる。
【００４４】
制御部３２は、給湯動作の実行が要求されていない場合（Ｓ３のＮＯ）には、浴槽管理動作制御の実行か否かの判断を行う（Ｓ５）。浴槽管理動作制御には、たとえば浴槽水ＢＷについて自動運転スイッチの投入等の自動湯張り制御や追焚制御などが含まれる。また制御部３２では、その他の制御として凍結防止処理や異常監視処理などの制御を実行する（Ｓ７）。
【００４５】
制御部３２は、ドレンタンク２０でのドレン処理の後、装置外への排出処理において、浴槽管理実行判断（Ｓ５）の結果を利用し、斯かる判断結果において追焚管路２４が利用されていない場合に、排出処理を行えばよい。また、制御部３２は、ドレン処理の実行条件の判断の１つとして、給湯動作実行判断（Ｓ３）の結果を利用してもよい。
【００４６】
なお、熱源装置４の動作制御は、それぞれ独立して実行されればよく、ドレン排出管理や給湯動作制御、浴槽管理制御等について常時ループして監視すればよい。また制御装置３２は、各動作要求に対して、割込み制御を行えばよい。
【００４７】
＜給湯・追焚装置の構成＞
【００４８】
図３は、給湯・追焚装置の構成例を示している。この給湯・追焚装置４０は、本開示の熱源装置４の一例であり、たとえば取り込んだ上水を熱交換して所定温度に加熱して供給する給湯機能や、浴槽水ＢＷを取り込んで熱交換して加熱する追焚機能を備える。
【００４９】
給湯・追焚装置４０は、たとえば筐体内に燃焼室４２を備えており、燃焼室４２の内部に給湯用の一次熱交換器４４及び二次熱交換器４６と、追焚用の熱交換器４８を備えている。給湯用の二次熱交換器４６は本開示の熱交換器の一例であり、ドレンＤが発生する。給湯用の熱交換器と追焚用の熱交換器はそれぞれ独立しており、双方同時運転または単独運転が可能となっている。また、給湯・追焚装置４０では、一方の熱交換器の機能を他方の用途で利用可能な例として、給湯側の熱交換器で加熱した湯を浴槽６側に注湯し、湯張りすることが可能である。
【００５０】
また、燃焼室４２には、給湯バーナ５０や追焚バーナ５２が設置されており、それぞれのバーナに対して燃料ガスＧが燃料ガス管を通じて供給される。この燃料ガス管には、たとえば元ガス電磁弁やガス比例弁、切替電磁弁、ガス電磁弁などが設置されており、給湯要求または追焚要求に応じた燃焼量を実現するためにガス供給量が調整される。そのほか、各バーナには、燃焼空気を供給するファンなどが設置される。
【００５１】
バーナ５０には、たとえば燃焼監視手段として、フレームロッド５１を備えている。
【００５２】
なお、図３に示す給湯・追焚装置４０では、給湯バーナ５０と追焚バーナ５２が共通の燃焼室４２内に設置される状態を示しているが、これに限られない。各バーナには、それぞれ給湯用燃焼室または追焚用燃焼室を備えてもよい。そして給湯熱交換器および追焚熱交換器は、斯かる給湯用燃焼室または追焚用燃焼室に配置されればよい。
【００５３】
＜給湯側の構成＞
【００５４】
給湯・追焚装置４０には、上水Ｗを導く給水管路６０、熱交換後の温水を流して出湯させる出湯管路６２、給水管路６０の一部を分岐して熱交換後の温水に上水Ｗを混合させるバイパス管路６４や、出湯管路６２から分岐され、追焚管路２４側に注湯する注湯管路６６を備える。給水管路６０には、たとえば水量センサ６８が設置され、上水Ｗの流入の有無やその流量を検出する。上水Ｗは、水量センサ６８を通って二次熱交換器４６側に流されて熱交換した後、一次熱交換器４４で熱交換して給湯口側に至る。バイパス管路６４は、湯の設定温度に対する出湯の応答性を高めるために、熱交換した湯に対して上水Ｗの一部を混合させるバイパス水制御弁７０を備える。そのほか給湯・追焚装置４０には、給水管路６０側に過圧逃がし弁、入水温度を検出する入水温サーミスタを備えるほか、出湯管路６２側に出湯温サーミスタや混合温サーミスタ、水制御弁７２などが設置される。
【００５５】
注湯管路６６は、たとえば給湯口の手前で分岐させ、給湯管路側で得られた湯ＨＷを追焚管路２４に流す。この注湯管路６６には、たとえば注湯電磁弁、注湯量を監視する注量センサ、逆止弁などを備えている。注湯管路６６に流された湯ＨＷは、追焚管路２４を通じて浴槽６内に給湯される。
【００５６】
＜追焚側の構成＞
【００５７】
追焚管路２４は、たとえば追焚用の熱交換器４８と浴槽６の連結部分に設置される循環アダプタとの間に配置されている。追焚管路２４には、たとえば浴槽水ＢＷを循環させるためのポンプ９４のほか、浴槽水ＢＷの水流を検出するふろ水流スイッチ、浴槽水ＢＷの温度を検出する風呂入サーミスタ、風呂出サーミスタなどを備えている。また追焚管路２４は、既述のように、追焚往き管路２４−２側の一部に三方弁ユニット２８を備えているとともに、三方弁２６を介してドレンＤを処理するドレンタンク９０と接続されている。このような構成により、三方弁２６を切り換えることでドレンタンク９０内の処理済のドレンＤがポンプ９４の駆動により追焚管路２４を通して三方弁ユニット２８より排水部３０側に排出される。
【００５８】
＜ドレン排出手段の構成＞
【００５９】
二次熱交換器４６で発生したドレンＤは、ドレン受け１０で回収され、ドレン管路１２に設置された中和器８０に貯められる。この中和器８０は、たとえばその上部側の一部に貯留空間８２を形成している。中和器１２で中和されたドレンＤは、ドレン流入弁８４を通じてドレンタンク９０に流される。ドレンタンク９０は、貯留したドレンＤに対してドレン処理を行った後、所定のタイミングで排水管路９２から追焚管路２４を通じて排出される。
【００６０】
その他、給湯・追焚装置４０には、各機能部の動作制御を行う電装基板１００、ユーザからの運転指示の入力や給湯・追焚装置の動作状態の表示等を行う浴室リモコン１０２、台所リモコン１０４などを備える。
【００６１】
＜ドレンタンクの構成について＞
【００６２】
図４は、ドレンタンクの一例を示している。図４に示す構成は一例であり、ドレンタンクは、斯かる構成に限定されない。
【００６３】
ドレンタンク９０は、たとえばタンク本体部１１０の上部側に、中和器８０で中和されたドレンＤを流入させるドレン流入口１１２を備える。タンク本体部１１０には、たとえば内部を仕切る仕切り壁１１４を備えており、この仕切り壁１１４で仕切られた一方側の第１の空間部１１６内に処理剤である麦飯石１１８が充填されている。ドレン流入口１１２は、たとえば第１の空間部１１６側に配置されており、取り込んだドレンＤを直接、麦飯石１１８に接触させるように流入させればよい。またドレンタンク９０の底部には、たとえば第１の空間部１１６側に、処理済のドレンを排出する処理水排出口１２８を備える。
【００６４】
またドレンタンク９０には、タンク本体部１１０の底部側の一部を突出させた滞留部１２０が形成されている。この滞留部１２０は、第１の空間部１１６側に形成されており、内部に麦飯石１１８が充填される。これによりドレンタンク９０には流入したドレンＤの一部が滞留部１２０に溜まり、滞留部１２０内がドレンＤで満たされると第１の空間部１１６内の水位が上昇する。処理水排出口１２８は、滞留部１２０以外の部分に形成されているため、滞留部１２０よりも高い位置に形成される。これにより、ドレンタンク９０には、ドレンＤの排出処理が完了した場合でも、滞留部１２０内に一定量の処理済のドレンＤを残留する。このように処理済のドレンＤを残留させることで、新たに流入した未処理のドレンＤに含まれるホルムアルデヒドに対し、三炭糖に変化した糖から四炭糖、五炭糖へと著しい反応の促進を促す触媒効果（フォルモース反応）が期待できる。
【００６５】
また、滞留部１２０の底部には、たとえばドレンＤを流すコネクタ部１２２が形成され、このコネクタ部１２２には、タンク本体部１１０の上部側にドレンＤを流動させる循環パイプ１２４および循環ポンプ１２６が設置される。この循環パイプ１２４および循環ポンプ１２６は、本開示の揺動手段の一例であり、ドレンＤを循環させて触媒である麦飯石１１８に対して揺動することで、ホルムアルデヒド等の特定物質の反応促進効果が期待できる。
【００６６】
またタンク本体部１１０には、仕切り壁１１４で仕切られた第２の空間部１３０内にドレンＤの水位を検出する水位センサ１３２を備えている。仕切り壁１１４は、たとえば流体であるドレンＤを通過させるが、固体である麦飯石１１８を通過させない網状構造で形成すればよい。水位センサ１３２は、たとえば水位電極１３４や共通電極（ＣＯＭ）１３６、オーバーフロー間近の水位を検出する水位センサＨ１３８、ドレンタンク９０内のドレンＤの有無を検出する水位センサＬ１４０を備えている。
【００６７】
＜中和器およびドレンタンクへの流入経路の構成＞
【００６８】
中和器８０は、たとえば図５に示すように、タンク本体部１１０の上部側にドレン管路１２を通じてドレンＤを流入させるドレン流入口１５０が形成されている。タンク内部には、たとえば中和剤１５２が充填されるとともに、この堆積した中和剤１５２の内部に至るまで天井から底部側に向けて仕切り板１５４が設置されている。これにより、仕切り板１５４の先端側からタンクの底部までの間には、中和剤１５２で満たされた空間部１５６が形成される。中和器８０に貯められたドレンＤは、たとえば仕切り板１５４で仕切られた一方の領域から他方の領域に向けて、空間部１５６を通過して流動する。
【００６９】
また、中和器８０には、たとえば側面部であって、中央よりも高い位置に中和処理されたドレンＤを排出する排出口１５８が形成され、この排出口１５８にドレン管路１５９が接続される。中和器８０内のドレンＤは、水位上昇により排出口１５８からドレン管路１５９側に排出される。排出口１５８は、たとえば仕切り板１５４で仕切られた中和器内部について、ドレン流入口１５０が配置された領域とは異なる領域側に形成される。
【００７０】
ドレン管路１５９は、ドレンタンク９０に向けて中和されたドレンＤを流す管路であり、この管路の途中には、流路を遮断可能なドレン流入弁８４が設置される。ドレン流入弁８４は、たとえばドレンタンク９０でドレン処理が開始された時に閉止される。
【００７１】
中和器８０には、たとえば天井側であって、排出口１５８よりも高い位置に貯留空間８２が形成されている。この貯留空間８２は、本開示の貯留タンクの一例であり、ドレン管路１５９に設置されたドレン流入弁８４が閉止された時に、ドレンＤを貯留する手段である。これにより、給湯・追焚装置４０は、たとえばドレンタンク９０側でドレン処理を開始した場合、ドレン流入弁８４を閉止しても、一定量のドレンＤを貯めることができ、二次熱交換器４６を利用した給湯をすることができる。
【００７２】
＜制御部の構成について＞
【００７３】
図６は、熱源装置の制御部の一例を示している。図６に示す構成は一例であり、これに限定されない。制御部３２は、給湯・追焚装置４０の電装基板１００で構成される。
【００７４】
制御部３２は、マイクロコンピュータ等からなり、たとえばプロセッサ１６０、メモリ１６２、タイマ１６４、システム通信部１６６、Ｉ／Ｏ（Input／Output）１６８などを備える。また制御部３２は、たとえばＩ／Ｏ１６８を通じて、フレームロッド５１、水位センサ１３２、追焚循環ポンプ９４、循環ポンプ１２６、ドレン流入弁８４、三方弁２６、三方弁ユニット２８、水量センサ６８、水温センサ１６９などと接続され、検出情報の収集や制御対象への指示出力を行う。
【００７５】
プロセッサ１６０は、プログラムの実行に用いられる演算手段の一例であり、熱源装置である給湯・追焚装置４０の動作を制御するためのプログラムを実行する。メモリ１６２は、記憶手段の一例であり、たとえば熱源装置の基本動作を制御するＯＳ（Operating System）や燃焼制御プログラム、ドレン排出処理プログラムや各種センサから取得した検出データなどを記憶する記憶領域や、プログラムの演算処理を行う処理領域を含む。メモリ１６２は、記憶領域としてＲＯＭ（Read Only Memory）や不揮発メモリを利用し、演算処理領域としてＲＡＭ（Random Access Memory）を利用する。
【００７６】
タイマ１６４は、熱源装置の動作時刻を検出する時計手段および動作経過時間を計時する計時手段の一例である。システム通信部１６６は、通信機能部の一例であり、リモコン制御部１７０のシステム通信部１７６との間でデータ通信を行う。
【００７７】
リモコン制御部１７０は、浴室リモコン１０２や台所リモコン１０４に搭載された制御装置の一例であり、それぞれプロセッサ１７２、メモリ１７４、システム通信部１７６、Ｉ／Ｏ１７８を備える。またリモコン制御部１７０は、Ｉ／Ｏ１７８を通じて、それぞれのリモコン装置に備えた表示部１８０、操作部１８２、警報部１８４等との間で動作指示のやりとりを行う。リモコン装置には、たとえばユーザ操作により給湯や追焚の要求温度の設定変更や追焚指示のほか、給湯・追焚装置４０の異常の表示や警告の報知などが含まれる。
【００７８】
＜ドレン排出処理について＞
【００７９】
図７は、ドレン排出管理の一例を示している。このドレン排出管理は、本開示のドレン排出処理方法またはドレン排出処理プログラムの一例である。
【００８０】
ドレン排出管理では、ドレンタンク９０内のドレンの水位状態、時刻情報または燃焼停止の経過時間に基づいて、制御部３２によりドレン処理の開始や完了が判断される。潜熱回収により発生したドレンＤは、中和処理の後にドレンタンク９０に貯められる。このドレンＤの発生は、バーナの燃焼に関連している。またドレン処理により、ホルムアルデヒドなどの削減を行うには所定時間を要する。このドレン処理には、対象となる物質や処理方法の違いにもよるが、たとえば６時間程度を要する場合もある。このドレン処理中のドレンタンク９０内に未処理のドレンＤが大量に混入すれば、処理時間はさらに長くなる。
【００８１】
そこで、このドレン排出管理では、たとえばバーナの燃焼状態や排出側の管理などを考慮してドレン処理が行われる。
【００８２】
ドレン排出管理では、制御部３２が、ドレンＤの排出準備が完了しているか否かを判断する（Ｓ１１）。この排出準備の完了か否かの判断では、たとえばメモリ内に記憶されている状態情報（たとえば、後述するＳ３０、Ｓ３７）や、すでにドレン処理が完了したドレンがドレンタンク９０に貯められている等の状態を判断すればよい。ドレン排出準備が完了している場合（Ｓ１１のＹＥＳ）には、排出処理に移行する。またドレン排出準備が完了していない場合（Ｓ１１のＮＯ）は、ドレン処理に移行しているか否かの判断を行う（Ｓ１２）。この判断処理では、たとえばタイマ１６４の稼動が有ったか、または現在稼動中か否かをみればよい。
【００８３】
制御部３２は、ドレンタンク９０内のドレンＤが未処理でかつ処理の実行に達していないと判断すると（Ｓ１２のＮＯ）、ドレンタンク９０内の水位検出情報について、下水位（Ｌ）か否かを判断する（Ｓ１３）。ドレンタンク９０内のドレンＤが下水位（Ｌ）に達していない場合（Ｓ１３のＮＯ）、新たなドレンＤが殆ど流入していないとして、待機状態を維持する。またドレンタンク９０の水位が下水位（Ｌ）以上の場合（Ｓ１３のＹＥＳ）には、現在時刻が、予め設定された所定時刻か否かを判断する（Ｓ１４）。
【００８４】
時刻条件は、たとえば給湯・追焚装置４０の使用頻度が低い時刻を設定し、ドレン処理に要する時間分だけ新たに発生したドレンＤを貯留できる容量が貯留タンクにあるか否かで設定されてもよい。このため、所定時刻は深夜帯や日中の不在時など、ユーザの利用頻度に基づいて設定してもよい。
【００８５】
制御部３２は、現在時刻が所定時刻、たとえば深夜の１時になっている場合（Ｓ１４のＹＥＳ）、ドレン流入弁８４を閉止させて（Ｓ１５）、ドレン処理に移行させる。また、所定時刻になっていない場合でも（Ｓ１４のＮＯ）、ドレンタンク９０の水位が上水位（Ｈ）以上となった場合（Ｓ１６のＹＥＳ）には、ドレン流入弁８４を閉止させて（Ｓ１５）、ドレン処理に移行させる。ドレンタンク９０の水位が上限に達した場合には、所定時刻まで待たずにドレン処理を開始する。
【００８６】
ドレン処理では、ドレンタンク９０内でドレンＤの循環を開始させ（Ｓ１７）、タイマ１６４をスタートさせ、ドレン処理の経過時間の計時を開始する（Ｓ１８）。
【００８７】
また、制御部３２は、ドレンタンク９０内の水位が上水位（Ｈ）に達していない場合（Ｓ１６のＮＯ）であり、かつ、バーナ５０が燃焼停止中の場合（Ｓ１９のＹＥＳ）には、ドレンタンク９０内の循環を開始させて（Ｓ１７）、ドレン処理に移行する。但し、バーナ５０の燃焼状態をドレン処理開始条件とした場合には、ドレン流入弁８４を開状態に維持させる。これにより、給湯要求が発生した場合でも、ドレン流入弁８４の開閉処理を行う必要がなくなるほか、貯留空間８２の容量に応じたドレンＤの発生許容量の制限により、二次熱交換器４６の利用が制限されるのを防止できる。また、所定時刻以外であっても、長時間追焚機能を利用しない場合に、ドレン処理が完了できれば、ドレンタンク９０や貯留空間８２を満水にさせず、二次熱交換器４６の利用が制限されない。
【００８８】
なお、このドレン処理では、たとえばドレンタンク９０に溜まっているドレンＤの量（水位）が少ない場合など、ドレン処理が短時間で済むと判断できる場合には、循環処理を行わないように制御してもよい。また、この実施の形態では、ドレン処理の開始条件としてドレンタンクの水位や時刻情報、またはバーナの停止状態を判断する場合を示したが、これに限らない。ドレン処理の判断として、直近に行ったドレン処理からの経過時間やこれまでのドレン処理の発生頻度、そのときのドレンＤの量などをメモリ１６２に記憶しておき、斯かる情報を次回のドレン処理の開始条件の判断に利用してもよい。これにより、頻繁にドレン処理が発生するのを防止でき、給湯効率の向上や省エネの効果が期待できる。
【００８９】
ドレン処理が開始されると、制御部３２は、タイマ１６４を参照し、所定時間（たとえば、６時間）を経過したか否かを判断する（Ｓ２０）。所定時間が経過していない場合であって（Ｓ２０のＮＯ）、ドレン流入弁が閉められていない場合（Ｓ２１のＮＯ）、たとえばフレームロッド５１の検出結果からバーナ５０の燃焼状態を監視する（Ｓ２２）。そしてバーナ５０の燃焼が開始された場合（Ｓ２２のＮＯ）、タイマ１６４を停止させ（Ｓ２３）、ドレンタンク循環を停止させて（Ｓ２４）、ドレン処理を中止させる。すなわち、燃焼停止を条件としてドレン処理を開始した場合には、バーナの燃焼開始により二次熱交換器の利用を契機に、通常の給湯運転に戻す。
【００９０】
また、燃焼停止によるドレン処理において、バーナ５０が燃焼停止状態である場合（Ｓ２２のＹＥＳ）、ドレン処理開始時刻に成った場合（Ｓ２５のＹＥＳ）、ドレン流入弁８４を閉止させ（Ｓ２６）、ドレン処理を継続させる。
【００９１】
制御部３２は、ドレン処理を開始してから所定時間が経過した場合（Ｓ２０のＹＥＳ）、ドレン流入弁８４が開状態であれば閉止させ（Ｓ２７）、タイマ１６４の停止（Ｓ２８）、ドレンタンク９０内の循環を停止させて（Ｓ２９）、ドレン処理を完了させる。ドレン処理が完了すると、制御部３２は、排出準備完了情報をメモリ１６２などに記憶させた（Ｓ３０）後、ドレン排出ルートを確立して排出処理を開始させる（Ｓ３１）。
【００９２】
ドレン排出ルートの確立では、たとえば追焚処理の実行中か否か、すなわち、追焚管路２４にドレンＤを排出できるか否かを判断した上、三方弁２６をドレンタンク９０側に切り換えるとともに、三方弁ユニット２８を切り換え、追焚往き管路２４−２を排水部３０側に接続する。また、制御部３２は、ドレン排出処理に移行した場合、浴槽水ＢＷの追焚を制限する。
【００９３】
＜ドレン排出処理＞
【００９４】
制御部３２は、ドレン排出準備が完了すると（Ｓ１１のＹＥＳ）、ドレンタンク９０の水位センサ１３２を監視し、下水位（Ｌ）以下になるまで（Ｓ３２のＹＥＳ）、ドレン排出を継続する（Ｓ３３）。ドレンタンク９０内の水位が下水位（Ｌ）以下になると（Ｓ３２のＮＯ）、制御部３２は、ドレンの排出を停止させ（Ｓ３４）、必要に応じてドレン排出ルートの洗浄処理を行ったのち、追焚管路２４を元に戻す（Ｓ３５）。ドレン排出ルートの洗浄処理では、たとえば三方弁２６を切り換えた後、三方弁ユニット２８を排水部３０側にした状態で、注湯管路を通じて湯または水を流入させることで、少なくとも追焚管路２４や追焚循環ポンプ９４、三方弁ユニット２８内を清浄化することができる。
【００９５】
洗浄処理が完了すると、ドレン流入弁８４を開放し（Ｓ３６）、ドレンタンク９０内に、中和器８０および貯留空間８２に貯められた未処理のドレンＤを流入可能にする。その後、制御部３２は、メモリ１６２に記憶した排出準備完了情報を消去して（Ｓ３７）ドレン排出処理を完了させる。
【００９６】
斯かる構成によれば、以下のような効果が得られる。
【００９７】
(1) ホルムアルデヒドなどの特定物質に対するドレン処理を行っている場合であっても、二次熱交換器を利用した給湯動作を行うことができ、給湯効率の低下を防止できる。
【００９８】
(2) ドレン流入弁により、ドレン処理中のドレンタンク内に未処理又は不十分な処理のドレンを排出させないので、熱源装置の信頼性を向上させることができる。
【００９９】
(3) 既存の管路をドレンの排出路に利用する場合でも、未処理または不十分な処理のドレンを流さないため、浴槽水等を汚染することがない。
【０１００】
(4) また、ドレン処理を十分に行うことができるので、熱源装置から外部に排出したドレンによる環境負荷を低減できる。
【０１０１】
(5) ドレンが発生しない状態、すなわち、バーナの燃焼停止時にドレン処理を開始することで、熱源装置に対するユーザの利用状態に応じてドレン処理を行うことができ、利便性の向上が図れるほか、ドレンが排出できない状態になるのを防止できる。
【０１０２】
〔他の実施の形態〕
【０１０３】
(1) 上記実施の形態では、ドレン流入弁８４を閉止した際に発生したドレンＤを貯留する手段として、中和器８０の一部に形成された貯留空間８２にドレンを貯留させる場合を示したが、これに限らない。給湯・追焚装置４０は、たとえば図８に示すように、中和器８０と接続する位置として、ドレン管路１５９上にサブタンクとして貯留タンク１９０を備えてもよい。この貯留タンク１９０は、たとえばドレン流入弁８４が閉状態になった時にドレンＤを貯留させればよく、ドレン流入弁８４が開状態の場合には、ドレンＤを通過させる構造であればよい。
【０１０４】
なお、貯留タンク１９０は、中和器８０とドレンタンク９０との間に配置させる場合に限らず、ドレン管路１２上であって、中和器８０に対して上流側に設置されてもよい。
【０１０５】
斯かる構成によれば、ドレン処理が開始された場合でも新たに発生したドレンを貯留させることができるので、二次熱交換器を利用した給湯処理が継続できる。
【０１０６】
(2) 上記実施の形態では、ドレン処理を行う処理剤として、触媒である麦飯石を用いる場合を示したがこれに限らない。ホルムアルデヒドなどの特定物質を削減可能であれば他の触媒を利用してもよい。また処理剤として、特定物質を吸着させる吸着剤を用いてもよい。この吸着剤として、たとえばアミノ化合物とケイ酸塩系無機化合物の複合物などを用いてもよい。
【０１０７】
(3) 上記実施の形態では、ドレン処理を促進するために、揺動手段として循環パイプ１２４や循環ポンプ１２６を用いる場合を示したが、これに限らない。ドレンＤに含まれる特定物質の分解、削除処理を促進するための手段として、たとえばタンク内を加熱するためのヒータを設けてもよく、またはその他の手段を用いてもよい。
【０１０８】
(4) 上記実施の形態では、ドレン排出ルートの確立において、追焚管路への排出が可能か否かを判断して三方弁２６、三方弁ユニット２８を切り換える場合を示したが、これに限らない。ドレン排出管理では、たとえば追焚処理制御と連動して、ドレン排出ルートの確立を行ってもよい。制御部３２は、たとえばドレン排出処理についても、所定時刻条件やユーザの利用頻度条件などを利用し、ドレン排出処理を行える時刻か否かを判断してもよい。そして、ドレン排出処理では、たとえばドレン処理に要する所定時間と、ユーザの利用頻度が低い時間帯の条件とを合せるようにドレン排出開始時刻を設定し、ドレン排出ルートを確立させてもよい。
【０１０９】
また、給湯・追焚機能において、ユーザが自動給湯機能を継続的に利用している場合などでは、設定時刻であって、ユーザの浴槽水ＢＷの利用が無い時に、一時的に自動運転を解除するなどの処理を行ってもよい。
【０１１０】
(5) ドレン排出管理において、制御部３２は、たとえばユーザの利用状態によりドレン処理が完了したドレンＤが排出できない場合には、浴室リモコン１０２や台所リモコン１０４に警告表示や音声報知を行い、排出可能な状態にさせるように促してもよい。
【０１１１】
(6) 上記実施の形態では、ドレンタンク９０にのみ水位センサ１３２を設ける場合を示したがこれに限らない。中和器８０や貯留タンク１９０に水位センサを設けて、ドレンＤの貯留状態を監視してもよい。これにより制御部３２では、たとえば追焚管路２４が使用中のために、ドレンＤが排出できない場合が継続した時に、中和器８０や貯留タンク１９０内にドレンＤが溢れるのを防止するほか、ドレンＤの貯留速度や残りの貯留量などを算出してもよい。これにより、排水不可によってドレンＤが装置内に溢れるのを防止でき、安全性の向上が図れる。
【０１１２】
(7) 上記実施の形態では、ドレン処理が開始され、ドレン流入弁８４を閉止すると、処理済のドレンを排出させるまでドレンタンク９０内に未処理のドレンを流入させない場合を示したが、これに限らない。制御部３２は、たとえば時刻条件によってドレン処理を開始した場合など、ドレンタンク９０内の水位が上水位（Ｈ）に達していない場合、新たにドレンが発生した時にドレン流入弁８４を開状態にして、ドレンタンク９０内にドレンを流入させてもよい。この場合、たとえばドレン処理の開始の時間経過が少ない場合や、中和器８０、貯留空間８２、貯留タンク１９０が満水に近い状態であるなどの条件を設けてもよい。また、新たにドレンを流入させた場合には、タイマをリセットして、ドレン処理に必要な所定時間の計時を開始すればよい。
【０１１３】
以上説明したように、本発明の技術の最も好ましい実施の形態等について説明した。本発明は、上記記載に限定されるものではない。特許請求の範囲に記載され、または発明を実施するための形態に開示された発明の要旨に基づき、当業者において様々な変形や変更が可能であることは勿論である。斯かる変形や変更が、本発明の範囲に含まれることは言うまでもない。
【産業上の利用可能性】
【０１１４】
この発明によれば、潜熱回収型の熱源装置のドレン排出管に関し、特定物質を処理するドレンタンクに対して未処理のドレンの混入を防止するとともに、特定物質の処理中に発生したドレンを貯留する手段を設けることで、ドレンを清浄化しつつ二次熱交換器による高い熱回収効率の維持が図れるので、有用である。
【符号の説明】
【０１１５】
２  ドレン排出システム
４  熱源装置
６  浴槽
８  熱交換器
１０  ドレン受け
１２  ドレン管路
１４、８０  中和器
１６  貯留タンク
１８  ドレン流入弁
２０、９０  ドレンタンク
２２  排出管路
２２−１  タンク側流路
２２−２  排出側流路
２４  追焚管路
２４−１  追焚戻り管路
２４−２  追焚往き管路
２６  三方弁
２８  三方弁ユニット
３０  排水部
３２  制御部
４０  給湯・追焚装置
４４  一次熱交換器
４６  二次熱交換器
５０  給湯バーナ
５１  フレームロッド
５２  追焚バーナ
８２  貯留空間
８４  ドレン流入弁
９２  排出管路
９４  追焚循環ポンプ
１００  電装基板
１１０  タンク本体部
１１２  ドレン流入口
１１４  仕切り壁
１１６  第１の空間部
１１８  麦飯石
１２０  滞留部
１２４  循環パイプ
１２６  循環ポンプ
１２８  処理水排出口
１３０  第２の空間部
１３２  水位センサ
１５０  ドレン流入口
１５２  中和剤
１５４  仕切り板
１５６  空間部
１５８  排出口
１９０  貯留タンク
【図１】
0006563310.tif 000002
【図２】
0006563310.tif 000003
【図３】
0006563310.tif 000004
【図４】
0006563310.tif 000005
【図５】
0006563310.tif 000006
【図６】
0006563310.tif 000007
【図７】
0006563310.tif 000008
【図８】
0006563310.tif 000009